(57)【要約】【課題】中短距離の光信号の伝送を行う光伝送装置の設備投資にかかるコストを低く抑えること。【解決手段】ネットワークのノードに設置されて光信号の伝送を行なう光伝送装置において、光信号を増幅することなく次ノードの光伝送装置に送信し、次ノードの光伝送装置における受信側光増幅器が光信号の伝送路ロスをゲイン調整するために用いられる調整用光信号を生成し、光伝送装置に立ち上げ時に、生成される調整用光信号を次ノードの光伝送装置における受信側光増幅器に伝送し、当該受信側光増幅器から当該調整用光信号を用いたゲイン調整が終了したことを通知するゲイン調整終了信号を受信した場合に、調整用光信号の伝送を停止するように制御する。【選択図】        図１
2008187534.tif 000002
【特許請求の範囲】
【請求項１】
ネットワークのノードに設置されて光信号の伝送を行なう光伝送装置であって、
前記光信号を増幅することなく次ノードの光伝送装置に送信する送信手段と、
前記次ノードの光伝送装置における受信側光増幅器が前記光信号の伝送路ロスをゲイン調整するために用いられる調整用光信号を生成する調整用光信号生成手段と、
前記光伝送装置に立ち上げ時に、前記調整用光信号生成手段によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手段と、
を備えたことを特徴とする光伝送装置。
【請求項２】
前記光伝送装置は、レーザーダイオードをさらに備え、
前記調整用光信号生成手段は、前記調整用光信号を前記レーザーダイオードで生成し、
前記調整用光信号伝送制御手段は、前記レーザーダイオードで生成される前記調整用光信号を前記次ノードの光伝送装置における受信側光増幅器に伝送することを特徴とする請求項１に記載の光伝送装置。
【請求項３】
前記調整用光信号生成手段は、前記調整用光信号を前記光伝送装置の受信側光増幅器で生成し、
前記調整用光信号伝送制御手段は、前記光伝送装置の受信側光増幅器で生成される前記調整用光信号を前記次ノードの光伝送装置における受信側光増幅器に伝送することを特徴とする請求項１に記載の光伝送装置。
【請求項４】
前記光伝送装置は、波長変換レーザーダイオードをさらに備え、
前記調整用光信号生成手段は、異なる波長からなる複数の調整用光信号を前記波長変換レーザーダイオードで生成し、
前記調整用光信号伝送制御手段は、前記波長変換レーザーダイオードで生成される複数の調整用光信号それぞれを前記次ノードの光伝送装置における受信側光増幅器に伝送し、伝送した調整用光信号に対応する前記ゲイン調整終了信号を受信した場合に、当該調整用光信号の伝送を停止することを特徴とする請求項１に記載の光伝送装置。
【請求項５】
前記光伝送装置は、波長非依存性の波長多重部をさらに備え、
前記調整用光信号生成手段は、異なる波長からなる複数の調整用光信号を前記光伝送装置が備える波長変換部の波長可変レーザーダイオードで生成し、
前記調整用光信号伝送制御手段は、前記光伝送装置が備える波長変換部の波長可変レーザーダイオードで生成される複数の調整用光信号それぞれを、前記波長非依存性の波長多重部を介して前記次ノードの光伝送装置における受信側光増幅器に伝送し、伝送した調整用光信号に対応する前記ゲイン調整終了信号を受信した場合に、当該調整用光信号の伝送を停止することを特徴とする請求項１に記載の光伝送装置。
【請求項６】
ネットワークのノードに設置されて光信号の伝送を行なう光伝送方法であって、
前記光信号を増幅することなく次ノードの光伝送装置に送信する送信工程と、
前記次ノードの光伝送装置における受信側光増幅器が前記光信号の伝送路ロスをゲイン調整するために用いられる調整用光信号を生成する調整用光信号生成工程と、
前記光伝送装置に立ち上げ時に、前記調整用光信号生成工程によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御工程と、
を含んだことを特徴とする光伝送方法。
【請求項７】
ネットワークのノードに設置されて光信号の伝送を行なう光伝送装置としてのコンピュータに、光伝送方法を実行させる光伝送プログラムであって、
前記光信号を増幅することなく次ノードの光伝送装置に送信する送信手順と、
前記次ノードの光伝送装置における受信側光増幅器が前記光信号の伝送路ロスをゲイン調整するために用いられる調整用光信号を生成する調整用光信号生成手順と、
前記光伝送装置に立ち上げ時に、前記調整用光信号生成手順によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手順と、
をコンピュータに実行させることを特徴とする光伝送プログラム。
【発明の詳細な説明】
【技術分野】
【０００１】
この発明は、光伝送装置、光伝送方法および光伝送プログラムに関する。
【背景技術】
【０００２】
従来より、インターネットの普及によるブロードバンド通信の需要拡大に伴い、光通信ネットワークにおいても、大容量のデータを長距離に渡って伝送することが要求されている。そのため、ＷＤＭ（Ｗａｖｅｌｅｎｇｔｈ  Ｄｉｖｉｓｉｏｎ  Ｍｕｌｔｉｐｌｅｘ）技術を用いた光伝送装置をネットワークの各ノードに設置した光伝送システムなどが実用化されている。
【０００３】
ＷＤＭ技術を用いた光伝送装置では、１本の光ファイバーケーブルに複数の異なる波長の光信号を多重化して次ノードの光伝送装置に伝送するので、光ファイバーケーブル１回線あたりの伝送容量を増大させることができる。
【０００４】
また、ＷＤＭ技術を用いた光伝送装置では、光伝送装置間で伝送される際に生じる多重化された光信号の減衰（伝送路ロス）を検知して受信した光信号のレベル補正を行なうゲイン調整の技術がさらに採用されているので、受信した光信号の劣化を防止するとともに、大容量のデータを長距離に渡って伝送することができる。
【０００５】
ここで、ゲイン調整について説明するために、図１３を用いて、上述した光伝送装置について、改めて説明する。図１３は、従来の光伝送装置を説明するための図である。
【０００６】
図１３に示すように、従来の光伝送装置は、当該光伝送装置の前ノードに設置される前ノード光伝送装置と、当該光伝送装置の次ノードに設置される次ノード光伝送装置とに接続される。なお、前ノード光伝送装置および次ノード光伝送装置は、図１３に示す光伝送装置と同様の構成からなる。
【０００７】
受信側光増幅器ＡＲ１１は、前ノード光伝送装置から伝送された多重化した光信号を、伝送路Ｆ０１を介して受信し、受信した光信号を自動的にゲイン調整し、ゲイン調整済みの光信号を波長多重分離部Ｄ１１に送信する。なお、ゲイン調整については、後に詳述する。
【０００８】
波長多重分離部Ｄ１１は、受信側光増幅器ＡＲ１１から受信したゲイン調整済みの光信号を分波して、光スイッチＳ１１に送信する。具体的には、入力された光信号を、多重化された光信号を波長ごとに分離する。例えば、Ｃバンド４０波を用いた光信号の伝送においては、波長多重分離部Ｄ１１は、４０種類の異なる波長からなる４０波を多重化した光信号を、再び４０種類の異なる波長からなる光信号に分離する。
【０００９】
光スイッチＳ１１は、波長多重分離部Ｄ１１が出力した分離した光信号を受信し、後述する波長変換部Ｔ１２が受信したクライアントの端末からの光信号を受信し、これら受信した光信号ごとの情報に基づいて、後述する波長変換部Ｔ１１に送信するために経路の切り替えを行なったり、後述する波長多重部Ｍ１１に送信するために経路の切り替えを行なったりするマトリックススイッチである。
【００１０】
波長変換部Ｔ１１は、光スイッチＳ１１を経由して受信した光信号の波長を変換して、クライアントの端末に送信する。また、波長変換部Ｔ１２は、クライアントの端末から受信した広帯域波長の光信号を狭帯域波長の光信号へと変換する。なお、波長変換部Ｔ１１および波長変換部Ｔ１２は、レーザーダイオードを格納している。
【００１１】
波長多重部Ｍ１１は、光スイッチＳ１１を経由して受信した光信号を多重化して、多重化した光信号を送信側光増幅器ＡＳ１１に送信する。例えば、Ｃバンド４０波を用いた光信号の伝送においては、波長多重部Ｍ１１は、４０種類の異なる波長からなる光信号を多重化する。
【００１２】
送信側光増幅器ＡＳ１１は、波長多重部Ｍ１１から受信した多重化された光信号の光レベルを伝送に必要な光レベルまで増幅し、増幅された光信号を、伝送路Ｆ１２を介して次ノード光伝送装置に伝送する。
【００１３】
また、上記した経路とは逆に、受信側光増幅器ＡＲ１２は、次ノード光伝送装置から伝送された多重化した光信号を、伝送路Ｆ２１を介して受信し、受信した光信号を自動的にゲイン調整し、ゲイン調整済みの光信号を波長多重分離部Ｄ１２に送信する。
【００１４】
波長多重分離部Ｄ１２は、受信側光増幅器ＡＲ１２から受信したゲイン調整済みの光信号を分波して、光スイッチＳ１２に送信する。
【００１５】
光スイッチＳ１２は、波長多重分離部Ｄ１２が出力した分離した光信号を受信し、後述する波長変換部Ｔ１４が受信したクライアントの端末からの光信号を受信し、これら受信した光信号ごとの情報に基づいて、後述する波長変換部Ｔ１３に送信するために経路の切り替えを行なったり、後述する波長多重部Ｍ１２に送信するために経路の切り替えを行なったりするマトリックススイッチである。
【００１６】
波長変換部Ｔ１３は、光スイッチを経由して受信した光信号の波長を変換して、クライアントの端末に送信する。また、波長変換部Ｔ１４は、クライアントの端末から受信した広帯域波長の光信号を狭帯域波長の光信号へと変換する。
【００１７】
波長多重部Ｍ１２は、光スイッチＳ１２を経由して受信した光信号を多重化して、多重化した光信号を送信側光増幅器ＡＳ１２に送信する。
【００１８】
送信側光増幅器ＡＳ１２は、波長多重部Ｍ１２から受信した多重化された光信号の光レベルを伝送に必要な光レベルまで増幅し、増幅された光信号を、伝送路Ｆ１０を介して前ノード光伝送装置に伝送する。
【００１９】
また、ＯＳＣユニットＯＳ１２は、前ノード光伝送装置と光伝送装置との間の情報交換を光カプラＣ１１と光カプラＣ１４とを介して行い、ＯＳＣユニットＯＳ１１は、光伝送装置と次ノード光伝送装置との間の情報交換を光カプラＣ１２と光カプラＣ１３とを介して行なう。
【００２０】
このような構成からなる光伝送装置は、新規光通信ネットワークの構築、新しいノードへの光伝送装置の設置、光伝送装置の構成部品を追加などにおける自身の立ち上げ時に、ゲイン調整の自動設定を行なう。
【００２１】
具体的には、前ノード光伝送装置の立ち上げ時に、前ノード光伝送装置から調整光信号を受信側光増幅器ＡＲ１１に伝送する。例えば、前ノード光伝送装置内に実装されている波長変換部（図１３で示す波長変換部Ｔ１２に対応するもの）が格納するレーザーダイオードから出力する１波を調整光信号として、受信側光増幅器ＡＲ１１に伝送する。受信側光増幅器ＡＲ１１は、伝送路Ｆ０１から受信した調整光信号の光レベルを検出し、当該光レベルから算出される減衰量により伝送路ロスを検知する。
【００２２】
これにより、受信側光増幅器ＡＲ１１は、検知した調整光信号の伝送路ロスを参照して、今後、前ノード光伝送装置から受信する光信号の光レベルを増幅するために必要となるゲイン調整の設定を自動的に行なう。
【００２３】
また、特許文献１では、送信側光増幅器のＡＳＥ（Ａｍｐｌｉｆｉｅｄ  Ｓｐｏｎｔａｎｅｏｕｓ  Ｅｍｉｓｓｉｏｎ）光を調整光信号として出力させ、次ノードの受信光増幅器においてゲイン調整を自動的に行なう方法を開示している。例えば、図１３に示す送信側光増幅器ＡＳ１１から出力したＡＳＥ光を、伝送路Ｆ１２を介して次ノード光伝送装置の受信側光増幅器に送信し、当該受信側光増幅器は、受信したＡＳＥ光の光レベルを検出し、当該光レベルから算出される減衰量により伝送路ロスを検知する。
【００２４】
【特許文献１】特開２００４−２３４３７号公報
【発明の開示】
【発明が解決しようとする課題】
【００２５】
ところで、上記した従来の光伝送装置は、中短距離の光信号の伝送を行う場合、設備投資にかかるコストが高いという問題点があった。
【００２６】
ノード間距離が中短距離の場合には、光信号の伝送の際に、送信側光増幅器により光信号の光レベルを増幅することは必須ではない。また、従来の光伝送装置においては、送信側光増幅器および受信側光増幅器の光増幅器にかかる価格が大きく、さらに、光伝送装置の消費電力においても、光増幅器が消費する電力が最も大きい。このことから、中短距離の光信号の伝送を行う光伝送装置における送信側光増幅器を削除したいという要望があった。
【００２７】
しかしながら、上記した特許文献１の技術では、送信側光増幅器が出力するＡＳＥ光を利用した受信側のゲイン調整を行なっているために、送信側光増幅器を削除できない。このため、中短距離の光信号の伝送を行う光伝送装置の設備投資にかかるコストが高いという問題点があった。
【００２８】
そこで、この発明は、上述した従来技術の課題を解決するためになされたものであり、中短距離の光信号の伝送を行う光伝送装置の設備投資にかかるコストを低く抑えることが可能になる光伝送装置、光伝送方法および光伝送プログラムを提供することを目的とする。
【課題を解決するための手段】
【００２９】
上述した課題を解決し、目的を達成するため、請求項１に係る発明は、ネットワークのノードに設置されて光信号の伝送を行なう光伝送装置であって、前記光信号を増幅することなく次ノードの光伝送装置に送信する送信手段と、前記次ノードの光伝送装置における受信側光増幅器が前記光信号の伝送路ロスをゲイン調整するために用いられる調整用光信号を生成する調整用光信号生成手段と、前記光伝送装置に立ち上げ時に、前記調整用光信号生成手段によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手段と、を備えたことを特徴とする。
【００３０】
また、請求項２に係る発明は、上記の発明において、前記光伝送装置は、レーザーダイオードをさらに備え、前記調整用光信号生成手段は、前記調整用光信号を前記レーザーダイオードで生成し、前記調整用光信号伝送制御手段は、前記レーザーダイオードで生成される前記調整用光信号を前記次ノードの光伝送装置における受信側光増幅器に伝送することを特徴とする。
【００３１】
また、請求項３に係る発明は、上記の発明において、前記調整用光信号生成手段は、前記調整用光信号を前記光伝送装置の受信側光増幅器で生成し、前記調整用光信号伝送制御手段は、前記光伝送装置の受信側光増幅器で生成される前記調整用光信号を前記次ノードの光伝送装置における受信側光増幅器に伝送することを特徴とする。
【００３２】
また、請求項４に係る発明は、上記の発明において、前記光伝送装置は、波長変換レーザーダイオードをさらに備え、前記調整用光信号生成手段は、異なる波長からなる複数の調整用光信号を前記波長変換レーザーダイオードで生成し、前記調整用光信号伝送制御手段は、前記波長変換レーザーダイオードで生成される複数の調整用光信号それぞれを前記次ノードの光伝送装置における受信側光増幅器に伝送し、伝送した調整用光信号に対応する前記ゲイン調整終了信号を受信した場合に、当該調整用光信号の伝送を停止することを特徴とする。
【００３３】
また、請求項５に係る発明は、上記の発明において、前記光伝送装置は、波長非依存性の波長多重部をさらに備え、前記調整用光信号生成手段は、異なる波長からなる複数の調整用光信号を前記光伝送装置が備える波長変換部の波長可変レーザーダイオードで生成し、前記調整用光信号伝送制御手段は、前記光伝送装置が備える波長変換部の波長可変レーザーダイオードで生成される複数の調整用光信号それぞれを、前記波長非依存性の波長多重部を介して前記次ノードの光伝送装置における受信側光増幅器に伝送し、伝送した調整用光信号に対応する前記ゲイン調整終了信号を受信した場合に、当該調整用光信号の伝送を停止することを特徴とする。
【００３４】
また、請求項６に係る発明は、ネットワークのノードに設置されて光信号の伝送を行なう光伝送方法であって、前記光信号を増幅することなく次ノードの光伝送装置に送信する送信工程と、前記次ノードの光伝送装置における受信側光増幅器が前記光信号の伝送路ロスをゲイン調整するために用いられる調整用光信号を生成する調整用光信号生成工程と、前記光伝送装置に立ち上げ時に、前記調整用光信号生成工程によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御工程と、を含んだことを特徴とする。
【００３５】
また、請求項７に係る発明は、ネットワークのノードに設置されて光信号の伝送を行なう光伝送装置としてのコンピュータに、光伝送方法を実行させる光伝送プログラムであって、前記光信号を増幅することなく次ノードの光伝送装置に送信する送信手順と、前記次ノードの光伝送装置における受信側光増幅器が前記光信号の伝送路ロスをゲイン調整するために用いられる調整用光信号を生成する調整用光信号生成手順と、前記光伝送装置に立ち上げ時に、前記調整用光信号生成手順によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手順と、をコンピュータに実行させることを特徴とする。
【発明の効果】
【００３６】
請求項１、６または７の発明によれば、光信号を増幅することなく次ノードの光伝送装置に送信し、次ノードの光伝送装置における受信側光増幅器が光信号の伝送路ロスをゲイン調整するために用いられる調整用光信号を生成し、光伝送装置に立ち上げ時に、生成される調整用光信号を次ノードの光伝送装置における受信側光増幅器に伝送し、当該受信側光増幅器から当該調整用光信号を用いたゲイン調整が終了したことを通知するゲイン調整終了信号を受信した場合に、調整用光信号の伝送を停止するように制御するので、光伝送装置に従来設置される送信側光増幅器を削除しても、次ノードの受信側光増幅器は、調整用光信号を受信して伝送路ロスのゲイン調整をすることができ、中短距離の光信号の伝送を行う光伝送装置の設備投資にかかるコストを低く抑えることが可能になる。
【００３７】
また、請求項２の発明によれば、光伝送装置は、レーザーダイオードをさらに備え、調整用光信号をレーザーダイオードで生成し、レーザーダイオードで生成される調整用光信号を次ノードの光伝送装置における受信側光増幅器に伝送するので、光伝送装置に従来設置される送信側光増幅器を削除しても、低コストのレーザーダイオードを設置することで、次ノードの受信側光増幅器は、レーザーダイオードから調整用光信号を受信して伝送路ロスのゲイン調整をすることができ、中短距離の光信号の伝送を行う光伝送装置の設備投資にかかるコストを低く抑えることが可能になる。
【００３８】
また、請求項３の発明によれば、調整用光信号を光伝送装置の受信側光増幅器で生成し、光伝送装置の受信側光増幅器で生成される前記調整用光信号を次ノードの光伝送装置における受信側光増幅器に伝送するので、光伝送装置に従来設置される送信側光増幅器を削除しても、次ノードの受信側光増幅器は、当該光伝送装置の受信側光増幅装置から調整用光信号を受信して伝送路ロスのゲイン調整をすることができ、中短距離を介して接続される光伝送装置の設備投資にかかるコストをさらに低く抑えることが可能になる。
【００３９】
また、請求項４の発明によれば、光伝送装置は、波長変換レーザーダイオードをさらに備え、異なる波長からなる複数の調整用光信号を前記波長変換レーザーダイオードで生成し、波長変換レーザーダイオードで生成される複数の調整用光信号それぞれを次ノードの光伝送装置における受信側光増幅器に伝送し、伝送した調整用光信号に対応するゲイン調整終了信号を受信した場合に、当該調整用光信号の伝送を停止するので、光伝送装置に従来設置される送信側光増幅器を削除しても、低コストの波長変換レーザーダイオードを設置することで、次ノードの受信側光増幅器は、波長変換レーザーダイオードから複数の調整用光信号を受信して伝送路ロスのゲイン調整をすることができ、中短距離の光信号の伝送を行う光伝送装置の設備投資にかかるコストを低く抑えることが可能になる。また、波長変換レーザーダイオードからの波長の異なる複数の調整用光信号それぞれに対してゲイン調整をすることができ、波長ごとの光レベルも補正する信頼性の高いゲイン調整が可能になる。
【００４０】
また、請求項５の発明によれば、光伝送装置は、波長非依存性の波長多重部をさらに備え、異なる波長からなる複数の調整用光信号を光伝送装置が備える波長変換部の波長可変レーザーダイオードで生成し、光伝送装置が備える波長変換部の波長可変レーザーダイオードで生成される複数の調整用光信号それぞれを、波長非依存性の波長多重部を介して次ノードの光伝送装置における受信側光増幅器に伝送し、伝送した調整用光信号に対応する前記ゲイン調整終了信号を受信した場合に、当該調整用光信号の伝送を停止するので、光伝送装置に従来設置される送信側光増幅器を削除しても、次ノードの受信側光増幅器は、光伝送装置が備える波長変換部の波長可変レーザーダイオードから複数の調整用光信号を受信して伝送路ロスのゲイン調整をすることができ、中短距離の光信号の伝送を行う光伝送装置の設備投資にかかるコストをさらに低く抑えることが可能になる。また、波長可変レーザーダイオードからの波長の異なる複数の調整用光信号それぞれに対してゲイン調整をすることができ、波長ごとの光レベルも補正する信頼性の高いゲイン調整が可能になる。
【発明を実施するための最良の形態】
【００４１】
以下に添付図面を参照して、この発明に係る光伝送装置、光伝送方法および光伝送プログラムを詳細に説明する。なお、以下では、本発明を適用した光伝送装置を実施例として説明する。また、以下では、実施例１における光伝送装置の構成および処理の手順、実施例１の効果を順に説明し、次に、実施例１と同様に、実施例２に係る光伝送装置、実施例３に係る光伝送装置、実施例４に係る光伝送装置、実施例５に係る光伝送装置について順に説明し、最後に、他の実施例について説明する。
【実施例１】
【００４２】
［実施例１における光伝送装置の概要および特徴］
まず最初に、図１を用いて、実施例１における光伝送装置の主たる特徴を具体的に説明する。図１は、実施例１における光伝送装置の概要および特徴を説明するための図である。
【００４３】
実施例１における光伝送装置は、ネットワークのノードに設置されて光信号の伝送を行なうことを概要とする。例えば、図１に示すように、第一光伝送装置１０は、次ノードに設置される第二光伝送装置２０との間で光信号の伝送を行なう。なお、第一光伝送装置１０は、図示しない前ノードの光伝送装置との間でも光信号の伝送を行い、第二光伝送装置２０は、図示しない次ノードの光伝送装置との間でも光信号の伝送を行なっている。また、図１において、第一光伝送装置１０と第二光伝送装置２０とのノード間距離は中短距離（例えば、数十Ｋｍ）であり、第一光伝送装置１０と前ノードの光伝送装置とのノード間距離および第二光伝送装置２０と次ノードの光伝送装置とのノード間距離は、長距離（例えば、数百Ｋｍ）であるとする。
【００４４】
図１に示すように、第一光伝送装置１０における受信側光増幅器ＡＲ１１は、前ノード光伝送装置から伝送された多重化した光信号を、伝送路Ｆ０１を介して受信し、受信した光信号を自動的にゲイン調整し、ゲイン調整済みの光信号を波長多重分離部Ｄ１１に送信する。
【００４５】
波長多重分離部Ｄ１１は、受信側光増幅器ＡＲ１１から受信したゲイン調整済みの光信号を分波して、光スイッチＳ１１に送信する。具体的には、入力された光信号を、多重化された光信号を波長ごとに分離する。例えば、Ｃバンド４０波を用いた光信号の伝送においては、波長多重分離部Ｄ１１は、４０種類の異なる波長からなる４０波を多重化した光信号を、再び４０種類の異なる波長からなる光信号に分離する。
【００４６】
光スイッチＳ１１は、波長多重分離部Ｄ１１が出力した分離した光信号を受信し、後述する波長変換部Ｔ１２が受信したクライアントの端末からの光信号を受信し、これら受信した光信号ごとの情報に基づいて、後述する波長変換部Ｔ１１に送信するために経路の切り替えを行なったり、後述する波長多重部Ｍ１１に送信するために経路の切り替えを行なったりするマトリックススイッチである。
【００４７】
波長変換部Ｔ１１は、光スイッチＳ１１を経由して受信した光信号の波長を変換して、クライアントの端末に送信する。また、波長変換部Ｔ１２は、クライアントの端末から受信した広帯域波長の光信号を狭帯域波長の光信号へと変換する。なお、波長変換部Ｔ１１および波長変換部Ｔ１２は、レーザーダイオードを格納している。
【００４８】
波長多重部Ｍ１１は、光スイッチＳ１１を経由して受信した光信号を多重化して、多重化した光信号を伝送路Ｆ１２経由で次ノード光伝送装置に伝送する。例えば、Ｃバンド４０波を用いた光信号の伝送においては、波長多重部Ｍ１１は、４０種類の異なる波長からなる光信号を多重化する。
【００４９】
また、上記した経路とは逆に、受信側光増幅器ＡＲ１２は、次ノード光伝送装置から伝送された多重化した光信号を、伝送路Ｆ２１を介して受信し、受信した光信号を自動的にゲイン調整し、ゲイン調整済みの光信号を波長多重分離部Ｄ１２に送信する。
【００５０】
波長多重分離部Ｄ１２は、受信側光増幅器ＡＲ１２から受信したゲイン調整済みの光信号を分波して、光スイッチＳ１２に送信する。
【００５１】
光スイッチＳ１２は、波長多重分離部Ｄ１２が出力した分離した光信号を受信し、後述する波長変換部Ｔ１４が受信したクライアントの端末からの光信号を受信し、これら受信した光信号ごとの情報に基づいて、後述する波長変換部Ｔ１３に送信するために経路の切り替えを行なったり、後述する波長多重部Ｍ１２に送信するために経路の切り替えを行なったりするマトリックススイッチである。
【００５２】
波長変換部Ｔ１３は、光スイッチを経由して受信した光信号の波長を変換して、クライアントの端末に送信する。また、波長変換部Ｔ１４は、クライアントの端末から受信した広帯域波長の光信号を狭帯域波長の光信号へと変換する。
【００５３】
波長多重部Ｍ１２は、光スイッチＳ１２を経由して受信した光信号を多重化して、多重化した光信号を送信側光増幅器ＡＳ１２に送信する。
【００５４】
送信側光増幅器ＡＳ１２は、波長多重部Ｍ１２から受信した多重化された光信号の光レベルを伝送に必要な光レベルまで増幅し、増幅された光信号を、伝送路Ｆ１０を介して前ノード光伝送装置に伝送する。
【００５５】
また、ＯＳＣユニットＯＳ１２は、前ノード光伝送装置と光伝送装置との間の情報交換を光カプラＣ１１と光カプラＣ１４とを介して行い、ＯＳＣユニットＯＳ１１は、光伝送装置と次ノード光伝送装置との間の情報交換を光カプラＣ１２と光カプラＣ１３とを介して行なう。
【００５６】
なお、図１に示す第二光伝送装置２０における各ユニットの構成および機能は、第一光伝送装置１０における各ユニットの構成および機能と同様であるので、説明を省略する。
【００５７】
ここで、本発明は、中短距離の光信号の伝送を行う光伝送装置の設備投資にかかるコストを低く抑えることが可能になることに主たる特徴がある。この主たる特徴について簡単に説明すると、実施例１における光伝送装置は、光信号を増幅することなく次ノードの光伝送装置に送信する。
【００５８】
具体的には、実施例１における光伝送装置は、中短距離の光信号の伝送を行う場合には、多重化された光信号の光レベルを伝送に必要な光レベルまで増幅することなく、次ノード光伝送装置に伝送する。例えば、図１に示すように、第一光伝送装置１０において、従来、波長多重部Ｍ１１と光カプラＣ１２との間に設置されていた送信側光増幅器は削除され、第二光伝送装置２０において、従来、波長多重部Ｍ２２と光カプラＣ２４との間に設置されていた送信側光増幅器は削除されている。
【００５９】
この構成により、第一光伝送装置１０は、波長多重部Ｍ１１から後述するスイッチＳＷ１により接続される経路を介して、中短距離にある第二光伝送装置２０に対して光信号を伝送する。また、第二光伝送装置２０は、波長多重部Ｍ２２から後述するスイッチＳＷ２により接続される経路を介して、中短距離にある第一光伝送装置１０に対して光信号を伝送する。
【００６０】
なお、第一光伝送装置１０は、長距離にある前ノード光伝送装置に対し、従来通りに、送信側光増幅器ＡＳ１２によって増幅された光信号を伝送し、第二光伝送装置２０は、長距離にある次ノード光伝送装置に対し、従来通りに、送信側光増幅器ＡＳ２１によって増幅された光信号を伝送する。
【００６１】
そして、実施例１における光伝送装置は、次ノードの光伝送装置における受信側光増幅器が光信号の伝送路ロスをゲイン調整するために用いられる調整用光信号を生成する。具体的には、調整用光信号として１波相当の光レベルを出力できるレーザーダイオードを、光伝送装置に設置する。例えば、図１に示すように、レーザーダイオードＬＤ１１を第一光伝送装置１０に設置し、レーザーダイオードＬＤ２１を第二光伝送装置２０に設置する。なお、レーザーダイオードＬＤ１１およびレーザーダイオードＬＤ２１は、特許請求の範囲に記載の「調整用光信号生成手段」に対応にする。
【００６２】
そして、実施例１における光伝送装置は、光伝送装置に立ち上げ時に、レーザーダイオードによって生成される調整用光信号を次ノードの光伝送装置における受信側光増幅器に伝送するように制御する。すなわち、図１に示す第一光伝送装置１０は、新規光通信ネットワークの構築、新しいノードへの光伝送装置の設置、光伝送装置の構成部品を追加などにおける自身の立ち上げ時に、レーザーダイオードＬＤ１１に調整用光信号を生成するように指示を出すとともに、レーザーダイオードＬＤ１１が生成する調整用光信号を伝送路Ｆ１２経由で第二光伝送装置２０における受信側光増幅器ＡＲ２１に伝送するためにスイッチＳＷ１の接続を切り替える指示を出す。
【００６３】
また、図１に示す第二光伝送装置２０は、自身の立ち上げ時に、レーザーダイオードＬＤ２１に調整用光信号を生成するように指示を出すとともに、レーザーダイオードＬＤ２１が生成する調整用光信号を伝送路Ｆ２１経由で第一光伝送装置１０における受信側光増幅器ＡＲ１２に伝送するためにスイッチＳＷ２の接続を切り替える指示を出す。
【００６４】
ここで、図１に示す受信側光増幅器ＡＲ２１は、第一光伝送装置１０から受信した調整用光信号の光レベルを検出し、当該光レベルから算出される減衰量により伝送路ロスを検知する。受信側光増幅器ＡＲ２１は、検知した調整光信号の伝送路ロスを参照して、今後、第一光伝送装置１０から受信する光信号の光レベルを増幅するために必要となるゲイン調整の設定を自動的に行なう。その後、受信側光増幅器ＡＲ２１は、ゲイン調整が終了したことを通知するゲイン調整終了信号を光カプラＣ２１でＯＳＣユニットＯＳ２２に分波し、ＯＳＣユニットＯＳ２２は、光カプラＣ２４および光カプラＣ１３を介して当該ゲイン調整終了信号をＯＳＣユニットＯＳ１１に送信する。ＯＳＣユニットＯＳ１１は、当該ゲイン調整終了信号を受信側光増幅器ＡＲ１２に送信する。
【００６５】
また、図１に示す受信側光増幅器ＡＲ１２は、第二光伝送装置２０から受信した調整用光信号の光レベルを検出し、当該光レベルから算出される減衰量により伝送路ロスを検知する。受信側光増幅器ＡＲ１２は、検知した調整光信号の伝送路ロスを参照して、今後、第二光伝送装置２０から受信する光信号の光レベルを増幅するために必要となるゲイン調整の設定を自動的に行なう。その後、受信側光増幅器ＡＲ１２は、ゲイン調整が終了したことを通知するゲイン調整終了信号を光カプラＣ１３でＯＳＣユニットＯＳ１１に分波し、ＯＳＣユニットＯＳ１１は、光カプラＣ１２および光カプラＣ２１を介して当該ゲイン調整終了信号をＯＳＣユニットＯＳ２２に送信する。ＯＳＣユニットＯＳ２２は、当該ゲイン調整終了信号を受信側光増幅器ＡＲ２１に送信する。
【００６６】
そして、実施例１における光伝送装置は、次ノードにおける受信側光増幅器からゲイン調整終了信号を受信した場合に、調整用光信号の伝送を停止するように制御する。すなわち、第一光伝送装置１０は、受信側光増幅器ＡＲ２１が通知したゲイン調整終了信号を受信側光増幅器ＡＲ１２が受信すると、レーザーダイオードＬＤ１１に調整用光信号の生成を停止するように指示を出すとともに、通常の光信号の伝送を行なうために、波長多重部Ｍ１１と伝送路Ｆ１２とが接続されるようにスイッチＳＷ１の接続を切り替える指示を出す。
【００６７】
また、第二光伝送装置２０は、受信側光増幅器ＡＲ１２が通知したゲイン調整終了信号を受信側光増幅器ＡＲ２１が受信すると、レーザーダイオードＬＤ２１に調整用光信号の生成を停止するように指示を出すとともに、通常の光信号の伝送を行なうために、波長多重部Ｍ２２と伝送路Ｆ２１とが接続されるようにスイッチＳＷ２の接続を切り替える指示を出す。
【００６８】
このようなことから、実施例１における光伝送装置は、光伝送装置に従来設置される送信側光増幅器を削除しても、次ノードの受信側光増幅器は、調整用光信号を受信して伝送路ロスのゲイン調整をすることができ、上記した主たる特徴の通り、中短距離の光信号の伝送を行う光伝送装置の設備投資にかかるコストを低く抑えることが可能になる。
【００６９】
［実施例１における光伝送装置の構成］
次に、図２を用いて、実施例１における光伝送装置を説明する。図２は、実施例１における光伝送装置の構成を示すブロック図である。
【００７０】
図２に示すように、実施例１における第一光伝送装置１０は、調整用光信号伝送制御部１００をさらに備え、レーザーダイオードＬＤ１１とスイッチＳＷ１とに接続される。なお、調整用光信号伝送制御部１００は、特許請求の範囲に記載の「調整用光信号伝送制御手段」に対応にする。
【００７１】
調整用光信号伝送制御部１００は、信号入力部１０１と、制御信号出力部１０２と、入出力制御Ｉ／Ｆ部１０３と、記憶部１０４と、処理部１０５とから構成される。
【００７２】
信号入力部１０１は、処理部１０５による処理に用いられる信号を入力する。例えば、第一光伝送装置１０の「立ち上げ通知信号」を入力したり、第二光伝送装置２０からの「ゲイン調整終了信号」を入力したりする。
【００７３】
制御信号出力部１０２は、処理部１０５による処理結果である制御信号をレーザーダイオードＬＤ１１やスイッチＳＷ１に出力する。
【００７４】
入出力制御Ｉ／Ｆ部１０３は、記憶部１０４および処理部１０５との間におけるデータ転送を制御する。
【００７５】
記憶部１０４は、スイッチ設定記憶部１０４ａを備える。スイッチ設定記憶部１０４ａは、「立ち上げ通知信号」が入力された場合におけるスイッチＳＷ１の切り替え設定と、「ゲイン調整終了信号」が入力された場合におけるスイッチＳＷ１の切り替え設定を記憶する。
【００７６】
処理部１０５は、動作制御部１０５ａを備える。
【００７７】
動作制御部１０５ａは、入出力制御Ｉ／Ｆ部１０３を介して「立ち上げ通知信号」が入力されると、レーザーダイオードＬＤ１１に調整用光信号を生成するように指示を出すとともに、レーザーダイオードＬＤ１１が生成する調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１に出力する。
【００７８】
また、動作制御部１０５ａは、入出力制御Ｉ／Ｆ部１０３を介して「ゲイン調整終了信号」が入力されると、レーザーダイオードＬＤ１１に調整用光信号の生成を停止するように指示を出すとともに、通常の光信号の伝送を行なうために、波長多重部Ｍ１１と伝送路Ｆ１２が接続されるように、スイッチ設定記憶部１０４ａが記憶する「ゲイン調整終了信号入力時」における切り替え設定をスイッチＳＷ１に出力する。
【００７９】
なお、図には示さないが、第二光伝送装置２０は、図２に示す第一光伝送装置１０と同様に構成され、自身の立ち上げ時において、レーザーダイオードＬＤ２１やスイッチＳＷ２に対して、上記と同様の処理を行う。
【００８０】
［実施例１における光伝送装置による処理の手順］
次に、図３を用いて、実施例１における第一光伝送装置１０による処理を説明する。図３は、実施例１における光伝送装置の処理を説明するための図である。
【００８１】
まず、実施例１における第一光伝送装置１０は、立ち上げ通知信号が入力されると（ステップＳ３０１肯定）、調整用光信号伝送制御部１００における動作制御部１０５ａは、調整用光信号を次ノードの光伝送装置における受信側光増幅器に伝送するように制御する（ステップＳ３０２）。
【００８２】
すなわち、動作制御部１０５ａは、入出力制御Ｉ／Ｆ部１０３を介して「立ち上げ通知信号」が入力されると、レーザーダイオードＬＤ１１に調整用光信号を生成するように指示を出すとともに、レーザーダイオードＬＤ１１が生成する調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１に出力する。
【００８３】
そして、動作制御部１０５ａは、受信側光増幅器ＡＲ１２が受信したゲイン調整終了信号が入力されると（ステップＳ３０３）、調整用光信号の伝送を停止し、通常の光伝送モードに切り替え（ステップＳ３０４）、処理を終了する。
【００８４】
すなわち、動作制御部１０５ａは、レーザーダイオードＬＤ１１に調整用光信号の生成を停止するように指示を出すとともに、通常の光信号の伝送を行なうために、波長多重部Ｍ１１と伝送路Ｆ１２が接続されるように、スイッチ設定記憶部１０４ａが記憶する「ゲイン調整終了信号入力時」における切り替え設定をスイッチＳＷ１に出力する。
【００８５】
なお、第二光伝送装置２０における処理の手順は、図３に示す第一光伝送装置１０における処理の手順と同様であるので、説明を省略する。
【００８６】
［実施例１の効果］
上記したように、実施例１によれば、光信号を増幅することなく次ノードの光伝送装置に送信し、次ノードの光伝送装置における受信側光増幅器が光信号の伝送路ロスをゲイン調整するために用いられる調整用光信号を低コストのレーザーダイオードで生成し、光伝送装置に立ち上げ時に、レーザーダイオードで生成される調整用光信号を次ノードの光伝送装置における受信側光増幅器に伝送し、当該受信側光増幅器から当該調整用光信号を用いたゲイン調整が終了したことを通知するゲイン調整終了信号を受信した場合に、調整用光信号の伝送を停止するように制御ので、光伝送装置に従来設置される送信側光増幅器を削除しても、次ノードの受信側光増幅器は、調整用光信号を受信して伝送路ロスのゲイン調整をすることができ、中短距離の光信号の伝送を行う光伝送装置の設備投資にかかるコストを低く抑えることが可能になる。
【実施例２】
【００８７】
上述した実施例１では、レーザーダイオードで調整用光信号を生成する場合について説明したが、実施例２では、受信側光増幅器で調整用光信号を生成する場合について説明する。
【００８８】
［実施例２における光伝送装置の概要および特徴］
まず最初に、図４を用いて、実施例２における光伝送装置の主たる特徴を具体的に説明する。図４は、実施例２における光伝送装置の概要および特徴を説明するための図である。
【００８９】
実施例２における光伝送装置は、図４に示すように、実施例１と同様、第一光伝送装置１０と第二光伝送装置２０との間における送信側光増幅器が削除されている。なお、実施例１と同様に、第一光伝送装置１０と第二光伝送装置２０とのノード間距離は中短距離であり、第一光伝送装置１０と前ノードの光伝送装置とのノード間距離および第二光伝送装置２０と次ノードの光伝送装置とのノード間距離は、長距離であるとする。
【００９０】
そして、実施例２における光伝送装置は、調整用光信号を自身の受信側光増幅器で生成する。具体的には、第一光伝送装置１０は、調整用光信号を受信側光増幅器ＡＲ１２で生成し、第二光伝送装置２０は、調整用光信号を受信側光増幅器ＡＲ２１で生成する。より具体的には、受信側光増幅器ＡＲ１２および受信側光増幅器ＡＲ２１においてＡＳＥ光を調整用光信号として生成する。
【００９１】
そして、実施例２における光伝送装置は、光伝送装置の受信側光増幅器で生成される調整用光信号を前記次ノードの光伝送装置における受信側光増幅器に伝送するように制御する。すなわち、図４に示す第一光伝送装置１０は、自身の立ち上げ時に、受信側光増幅器ＡＲ１２にＡＳＥ光を生成するように指示を出すとともに、受信側光増幅器ＡＲ１２で生成するＡＳＥ光を伝送路Ｆ１２経由で第二光伝送装置２０における受信側光増幅器ＡＲ２１に伝送するためにスイッチＳＷ１１およびスイッチＳＷ１２の接続を切り替える指示を出す。
【００９２】
また、図４に示す第二光伝送装置２０は、自身の立ち上げ時に、受信側光増幅器ＡＲ２１にＡＳＥ光を生成するように指示を出すとともに、受信側光増幅器ＡＲ２１で生成するＡＳＥ光を伝送路Ｆ２１経由で第一光伝送装置１０における受信側光増幅器ＡＲ１２に伝送するためにスイッチＳＷ２１およびスイッチＳＷ２２の接続を切り替える指示を出す。
【００９３】
ここで、図４に示す受信側光増幅器ＡＲ２１は、第一光伝送装置１０から受信したＡＳＥ光の光レベルを検出し、当該光レベルから算出される減衰量により伝送路ロスを検知する。受信側光増幅器ＡＲ２１は、検知した調整光信号の伝送路ロスを参照して、今後、第一光伝送装置１０から受信する光信号の光レベルを増幅するために必要となるゲイン調整の設定を自動的に行なう。その後、受信側光増幅器ＡＲ２１は、ゲイン調整が終了したことを通知するゲイン調整終了信号を光カプラＣ２１でＯＳＣユニットＯＳ２２に分波し、ＯＳＣユニットＯＳ２２は、光カプラＣ２４および光カプラＣ１３を介して当該ゲイン調整終了信号をＯＳＣユニットＯＳ１１に送信する。ＯＳＣユニットＯＳ１１は、当該ゲイン調整終了信号を受信側光増幅器ＡＲ１２に送信する。
【００９４】
また、図４に示す受信側光増幅器ＡＲ１２は、第二光伝送装置２０から受信したＡＳＥ光の光レベルを検出し、当該光レベルから算出される減衰量により伝送路ロスを検知する。受信側光増幅器ＡＲ１２は、検知した調整光信号の伝送路ロスを参照して、今後、第二光伝送装置２０から受信する光信号の光レベルを増幅するために必要となるゲイン調整の設定を自動的に行なう。その後、受信側光増幅器ＡＲ１２は、ゲイン調整が終了したことを通知するゲイン調整終了信号を光カプラＣ１３でＯＳＣユニットＯＳ１１に分波し、ＯＳＣユニットＯＳ１１は、光カプラＣ１２および光カプラＣ２１を介して当該ゲイン調整終了信号をＯＳＣユニットＯＳ２２に送信する。ＯＳＣユニットＯＳ２２は、当該ゲイン調整終了信号を受信側光増幅器ＡＲ２１に送信する。
【００９５】
そして、実施例２における光伝送装置は、実施例１と同様に、次ノードにおける受信側光増幅器からゲイン調整終了信号を受信した場合に、調整用光信号の伝送を停止するように制御する。すなわち、第一光伝送装置１０は、受信側光増幅器ＡＲ２１が通知したゲイン調整終了信号を受信側光増幅器ＡＲ１２が受信すると、受信側光増幅器ＡＲ１２に調整用光信号の生成を停止するように指示を出すとともに、通常の光信号の伝送を行なうために、波長多重部Ｍ１１と伝送路Ｆ１２とが接続され、受信側光増幅器ＡＲ１２と波長多重分離部Ｄ１２とが接続されるようにスイッチＳＷ１１およびＳＷ１２の接続を切り替える指示を出す。
【００９６】
また、第二光伝送装置２０は、受信側光増幅器ＡＲ１２が通知したゲイン調整終了信号を受信側光増幅器ＡＲ２１が受信すると、受信側光増幅器ＡＲ２１に調整用光信号の生成を停止するように指示を出すとともに、通常の光信号の伝送を行なうために、波長多重部Ｍ２２と伝送路Ｆ２１とが接続され、受信側光増幅器ＡＲ２１と波長多重分離部Ｄ２１とが接続されるようにスイッチＳＷ２２およびＳＷ２１の接続を切り替える指示を出す。
【００９７】
このようなことから、実施例２における光伝送装置は、光伝送装置に従来設置される送信側光増幅器を削除しても、次ノードの受信側光増幅器は、当該光伝送装置の受信側光増幅器から調整用光信号を受信して伝送路ロスのゲイン調整をすることができ、中短距離を介して接続される光伝送装置の設備投資にかかるコストをさらに低く抑えることが可能になる。
【００９８】
［実施例２における光伝送装置の構成］
次に、図５を用いて、実施例２における光伝送装置を説明する。図５は、実施例２における光伝送装置の構成を示すブロック図である。
【００９９】
図５に示すように、実施例２における第一光伝送装置１０は、実施例１における第一光伝送装置１０と同様の構成からなる調整用光信号伝送制御部１００を備えるが、受信側光増幅器ＡＲ１２、スイッチＳＷ１１およびスイッチＳＷ１２に接続される点が異なる。以下、これを中心に説明する。
【０１００】
スイッチ設定記憶部１０４ａは、「立ち上げ通知信号」が入力された場合におけるスイッチＳＷ１１およびスイッチＳＷ１２の切り替え設定と、「ゲイン調整終了信号」が入力された場合におけるスイッチＳＷ１１およびスイッチＳＷ１２の切り替え設定を記憶する。
【０１０１】
動作制御部１０５ａは、入出力制御Ｉ／Ｆ部１０３を介して「立ち上げ通知信号」が入力されると、受信側光増幅器ＡＲ１２にＡＳＥ光を生成するように指示を出すとともに、受信側光増幅器ＡＲ１２が生成する調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１１およびスイッチＳＷ１２に出力する。
【０１０２】
また、動作制御部１０５ａは、入出力制御Ｉ／Ｆ部１０３を介して「ゲイン調整終了信号」が入力されると、受信側光増幅器ＡＲ１２にＡＳＥ光の生成を停止するように指示を出すとともに、通常の光信号の伝送を行なうために、波長多重部Ｍ１１と伝送路Ｆ１２が接続されるように、スイッチ設定記憶部１０４ａが記憶する「ゲイン調整終了信号入力時」における切り替え設定をスイッチＳＷ１１およびスイッチＳＷ１２に出力する。
【０１０３】
なお、図には示さないが、第二光伝送装置２０は、図５に示す第一光伝送装置１０と同様に構成され、自身の立ち上げ時において、受信側光増幅装置ＡＲ２１、スイッチＳＷ２１およびスイッチＳＷ２２に対して、上記と同様の処理を行う。
【０１０４】
［実施例２における光伝送装置による処理の手順］
次に、図３を用いて、実施例２における第一光伝送装置１０による処理を説明する。図３は、実施例１における光伝送装置の処理を説明するための図である。
【０１０５】
まず、実施例２における第一光伝送装置１０は、立ち上げ通知信号が入力されると（ステップＳ３０１肯定）、調整用光信号伝送制御部１００における動作制御部１０５ａは、調整用光信号を次ノードの光伝送装置における受信側光増幅器に伝送するように制御する（ステップＳ３０２）。
【０１０６】
すなわち、動作制御部１０５ａは、入出力制御Ｉ／Ｆ部１０３を介して「立ち上げ通知信号」が入力されると、受信側光増幅器ＡＲ１２にＡＳＥ光を生成するように指示を出すとともに、受信側光増幅器ＡＲ１２が生成する調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１１およびスイッチＳＷ１２に出力する。
【０１０７】
そして、動作制御部１０５ａは、受信側光増幅器ＡＲ１２が受信したゲイン調整終了信号が入力されると（ステップＳ３０３）、調整用光信号の伝送を停止し、通常の光伝送モードに切り替え（ステップＳ３０４）、処理を終了する。
【０１０８】
すなわち、動作制御部１０５ａは、入出力制御Ｉ／Ｆ部１０３を介して「ゲイン調整終了信号」が入力されると、受信側光増幅器ＡＲ１２にＡＳＥ光の生成を停止するように指示を出すとともに、通常の光信号の伝送を行なうために、波長多重部Ｍ１１と伝送路Ｆ１２が接続されるように、スイッチ設定記憶部１０４ａが記憶する「ゲイン調整終了信号入力時」における切り替え設定をスイッチＳＷ１１およびスイッチＳＷ１２に出力する。
【０１０９】
なお、実施例２における第二光伝送装置２０における処理の手順は、上記した第一光伝送装置１０における処理の手順と同様であるので、説明を省略する。
【０１１０】
［実施例２の効果］
上記したように、実施例２によれば、ＡＳＥ光を光伝送装置の受信側光増幅器で生成し、受信側光増幅器で生成されるＡＳＥ光を次ノードの光伝送装置における受信側光増幅器に伝送するので、光伝送装置に従来設置される送信側光増幅器を削除しても、次ノードの受信側光増幅器は、当該光伝送装置の受信側光増幅装置から調整用光信号を受信して伝送路ロスのゲイン調整をすることができ、中短距離を介して接続される光伝送装置の設備投資にかかるコストをさらに低く抑えることが可能になる。
【実施例３】
【０１１１】
上述した実施例１では、レーザーダイオードで１波相当の光パワーからなる調整用光信号を生成する場合について説明したが、実施例３では、波長可変レーザーダイオードで複数の波長からなる調整用光信号を生成する場合について説明する。
【０１１２】
［実施例３における光伝送装置の概要および特徴］
まず最初に、図６を用いて、実施例３における光伝送装置の主たる特徴を具体的に説明する。図６は、実施例３における光伝送装置の概要および特徴を説明するための図である。
【０１１３】
実施例３における光伝送装置は、図６に示すように、実施例１および実施例２と同様、第一光伝送装置１０と第二光伝送装置２０との間における送信側光増幅器が削除されている。なお、実施例１および実施例２と同様に、第一光伝送装置１０と第二光伝送装置２０とのノード間距離は中短距離であり、第一光伝送装置１０と前ノードの光伝送装置とのノード間距離および第二光伝送装置２０と次ノードの光伝送装置とのノード間距離は、長距離であるとする。
【０１１４】
そして、実施例３における光伝送装置は、波長可変レーザーダイオードをさらに備え、異なる波長からなる複数の調整用光信号を当該波長可変レーザーダイオードで生成する。具体的には、図６に示すように、波長可変レーザーダイオードＴＬＤ１１を第一光伝送装置１０に設置し、波長可変レーザーダイオードＴＬＤ２１を第二光伝送装置２０に設置し、波長可変レーザーダイオードＴＬＤ１１および波長可変レーザーダイオードＴＬＤ２１は、異なる波長からなる複数の調整用光信号をそれぞれ生成する。ここで、波長可変レーザーダイオードＴＬＤ１１および波長可変レーザーダイオードＴＬＤ２１は、Ｃバンド４０波にそれぞれ対応する波長（λ１〜λ４０）をすべて出力できるとする。
【０１１５】
そして、実施例３における光伝送装置は、波長可変レーザーダイオードで生成される複数の調整用光信号それぞれを次ノードの光伝送装置における受信側光増幅器に伝送するように制御し、伝送した調整用光信号に対応するゲイン調整終了信号を受信した場合に、当該調整用光信号の伝送を停止するように制御する。
【０１１６】
具体的には、図６に示す第一光伝送装置１０は、自身の立ち上げ時に、波長可変レーザーダイオードＴＬＤ１１から、まず「波長：λ１」である調整用光信号を生成するように指示を出すとともに、波長可変レーザーダイオードＴＬＤ１１で生成する「波長：λ１」である調整用光信号を伝送路Ｆ１２経由で第二光伝送装置２０における受信側光増幅器ＡＲ２１に伝送するためにスイッチＳＷ１の接続を切り替える指示を出す。
【０１１７】
そして、第一光伝送装置１０における受信側光増幅器ＡＲ１２が、第二光伝送装置２０における受信側光増幅器ＡＲ２１から「波長：λ１」である調整用光信号に対応するゲイン調整終了信号を受信した場合、引き続き、「波長：λ２」である調整用光信号を生成するように指示を出す。
【０１１８】
この操作を「波長：λ４０」である調整用光信号に対応するゲイン調整終了信号を、受信側光増幅器ＡＲ１２が受信するまで連続して行い、当該ゲイン調整終了信号を受信後は、波長可変レーザーダイオードＴＬＤ１１に調整用光信号の生成を停止するように指示を出すとともに、通常の光信号の伝送を行なうために、波長多重部Ｍ１１と伝送路Ｆ１２とが接続されるようにスイッチＳＷ１の接続を切り替える指示を出す。
【０１１９】
また、図６に示す第二光伝送装置２０は、自身の立ち上げ時に、波長可変レーザーダイオードＴＬＤ２１から、まず「波長：λ１」である調整用光信号を生成するように指示を出すとともに、波長可変レーザーダイオードＴＬＤ２１で生成する「波長：λ１」である調整用光信号を伝送路Ｆ２１経由で第一光伝送装置１０における受信側光増幅器ＡＲ１２に伝送するためにスイッチＳＷ２の接続を切り替える指示を出す。
【０１２０】
そして、第二光伝送装置２０における受信側光増幅器ＡＲ２１が、第一光伝送装置１０における受信側光増幅器ＡＲ１２から「波長：λ１」である調整用光信号に対応するゲイン調整終了信号を受信した場合、引き続き、「波長：λ２」である調整用光信号を生成するように指示を出す。
【０１２１】
この操作を「波長：λ４０」である調整用光信号に対応するゲイン調整終了信号を、受信側光増幅器ＡＲ２１が受信するまで連続して行い、当該ゲイン調整終了信号を受信後は、波長可変レーザーダイオードＴＬＤ２１に調整用光信号の生成を停止するように指示を出すとともに、通常の光信号の伝送を行なうために、波長多重部Ｍ２２と伝送路Ｆ２１とが接続されるようにスイッチＳＷ２の接続を切り替える指示を出す。
【０１２２】
なお、上記した実施例では、Ｃバンド４０波にそれぞれ対応する波長（λ１〜λ４０）をすべて調整用光信号として生成し伝送する場合について説明したが、本発明はこれに限定されるものではなく、例えば、４波ごとの９波（λ１、λ５、λ９、・・・、λ３７）であってもよい。
【０１２３】
このようなことから、実施例３における光伝送装置は、光伝送装置に従来設置される送信側光増幅器を削除しても、低コストの波長可変レーザーダイオードを設置することで、次ノードの受信側光増幅器は、波長可変レーザーダイオードから複数の調整用光信号を受信して伝送路ロスのゲイン調整をすることができ、中短距離の光信号の伝送を行う光伝送装置の設備投資にかかるコストを低く抑えることが可能になる。また、波長可変レーザーダイオードからの波長の異なる複数の調整用光信号それぞれに対してゲイン調整をすることができ、波長ごとの光レベルも補正する信頼性の高いゲイン調整が可能になる。
【０１２４】
［実施例３における光伝送装置の構成］
次に、図７を用いて、実施例３における光伝送装置を説明する。図７は、実施例３における光伝送装置の構成を示すブロック図である。
【０１２５】
図７に示すように、実施例３における第一光伝送装置１０は、実施例１における第一光伝送装置１０と同様に、調整用光信号伝送制御部１００を備えるが、調整用光信号伝送制御部１００に、さらに出力波長記憶部１０４ｂを備え、波長可変レーザーダイオードＴＬＤ１１に接続される点が異なる。以下、これを中心に説明する。
【０１２６】
出力波長記憶部１０４ｂは、「立ち上げ通知信号」が入力された場合において、波長可変レーザーダイオードＴＬＤ２１が調整用光信号として出力する複数の波長を記憶する。例えば、Ｃバンド４０波にそれぞれ対応する波長（λ１〜λ４０）、すべてを出力すると記憶する。
【０１２７】
動作制御部１０５ａは、入出力制御Ｉ／Ｆ部１０３を介して「立ち上げ通知信号」が入力されると、出力波長記憶部１０４ｂを参照して、波長可変レーザーダイオードＴＬＤ１１に「波長：λ１」である調整用光信号を生成するように指示を出すとともに、受信側光増幅器ＡＲ１２が生成する「波長：λ１」である調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１に出力する。
【０１２８】
そして、動作制御部１０５ａは、受信側光増幅器ＡＲ１２が、第二光伝送装置２０における受信側光増幅器ＡＲ２１から「波長：λ１」である調整用光信号に対応するゲイン調整終了信号を受信した場合、引き続き、「波長：λ２」である調整用光信号を生成するように指示を出す。動作制御部１０５ａは、この操作を、「波長：λ４０」である調整用光信号を生成するまで繰り返す。
【０１２９】
そして、動作制御部１０５ａは、「波長：λ４０」である調整用光信号に対応するゲイン調整終了信号が入力されると、波長可変レーザーダイオードＴＬＤ１１に調整用光信号の生成を停止するように指示を出すとともに、通常の光信号の伝送を行なうために、波長多重部Ｍ１１と伝送路Ｆ１２とが接続されるように、スイッチ設定記憶部１０４ａが記憶する「ゲイン調整終了信号入力時」における切り替え設定をスイッチＳＷ１に出力する。
【０１３０】
なお、図には示さないが、第二光伝送装置２０は、図７に示す第一光伝送装置１０と同様に構成され、自身の立ち上げ時において、波長可変レーザーダイオードＴＬＤ２１およびスイッチＳＷ２に対して、上記と同様の処理を行う。
【０１３１】
［実施例３における光伝送装置による処理の手順］
次に、図８を用いて、実施例３における第一光伝送装置１０による処理を説明する。図８は、実施例１における光伝送装置の処理を説明するための図である。
【０１３２】
まず、実施例３における第一光伝送装置１０は、立ち上げ通知信号が入力されると（ステップＳ８０１肯定）、調整用光信号伝送制御部１００における動作制御部１０５ａは、波長可変レーザーダイオードＴＬＤ１１に「波長：λ１」である調整用光信号を第二光伝送装置２０における受信側光増幅器ＡＲ２１に伝送するように制御する。
【０１３３】
具体的には、動作制御部１０５ａは、波長可変レーザーダイオードＴＬＤ１１に「波長：λ１」である調整用光信号を生成するように指示を出すととともに、受信側光増幅器ＡＲ１２が生成する「波長：λ１」である調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定をスイッチＳＷ１に出力する。調整用光信号を次ノードの光伝送装置における受信側光増幅器に伝送するように制御する（ステップＳ８０２）。
【０１３４】
そして、動作制御部１０５ａは、受信側光増幅器ＡＲ１２が受信した「波長：λ１」である調整用光信号に対応するゲイン調整終了信号が入力されると（ステップＳ８０３）、「波長：λ１」に対応する「１」が、出力波長記憶部１０４ｂに格納される調整用光信号の数「ｎ」と一致するか否かを判定する（ステップＳ８０４）。例えば、「ｎ＝４０」と一致するか否かを判定する。
【０１３５】
調整用光信号の数「ｎ」と一致しない場合には（ステップＳ８０４否定）、「１＋１＝２」とし（ステップＳ８０５）、引き続き、「波長：λ２」である調整用光信号を伝送する。
【０１３６】
調整用光信号の数「ｎ」と一致した場合には（ステップＳ８０４肯定）、調整用光信号の伝送を停止し、通常の光伝送モードに切り替えて（ステップＳ８０６）、処理を終了する。例えば、動作制御部１０５ａは、入出力制御Ｉ／Ｆ部１０３を介して「波長：λ４０」である調整用光信号に対応する「ゲイン調整終了信号」が入力されると、波長可変レーザーダイオードＴＬＤ１１に調整用光信号の生成を停止するように指示を出すとともに、通常の光信号の伝送を行なうために、波長多重部Ｍ１１と伝送路Ｆ１２とが接続されるように、スイッチ設定記憶部１０４ａが記憶する「ゲイン調整終了信号入力時」における切り替え設定をスイッチＳＷ１に出力する。
【０１３７】
なお、実施例３における第二光伝送装置２０における処理の手順は、上記した第一光伝送装置１０における処理の手順と同様であるので、説明を省略する。
【０１３８】
［実施例３の効果］
上記したように、実施例３によれば、波長可変レーザーダイオードをさらに備え、異なる波長からなる複数の調整用光信号を波長可変レーザーダイオードで生成し、波長可変レーザーダイオードで生成される複数の調整用光信号それぞれを次ノードの光伝送装置における受信側光増幅器に伝送し、伝送した調整用光信号に対応するゲイン調整終了信号を受信した場合に、当該調整用光信号の伝送を停止するので、光伝送装置に従来設置される送信側光増幅器を削除しても、低コストの波長可変レーザーダイオードを設置することで、次ノードの受信側光増幅器は、波長可変レーザーダイオードから複数の調整用光信号を受信して伝送路ロスのゲイン調整をすることができ、中短距離の光信号の伝送を行う光伝送装置の設備投資にかかるコストを低く抑えることが可能になる。
【０１３９】
また実施例３によれば、波長可変レーザーダイオードからの波長の異なる複数の調整用光信号それぞれに対してゲイン調整をすることができ、波長ごとの光レベルも補正する信頼性の高いゲイン調整が可能になる。
【実施例４】
【０１４０】
上述した実施例３では、新たに設置した波長可変レーザーダイオードで調整用光信号を生成する場合について説明したが、実施例４では、波長変換部が備える波長可変レーザーダイオードで調整用光信号を生成する場合について説明する。
【０１４１】
［実施例４における光伝送装置の概要および特徴］
まず最初に、図９を用いて、実施例４における光伝送装置の主たる特徴を具体的に説明する。図９は、実施例４における光伝送装置の概要および特徴を説明するための図である。
【０１４２】
実施例４における光伝送装置は、図９に示すように、実施例１〜３と同様、第一光伝送装置１０と第二光伝送装置２０との間における送信側光増幅器が削除されている。なお、実施例１〜３と同様に、第一光伝送装置１０と第二光伝送装置２０とのノード間距離は中短距離であり、第一光伝送装置１０と前ノードの光伝送装置とのノード間距離および第二光伝送装置２０と次ノードの光伝送装置とのノード間距離は、長距離であるとする。
【０１４３】
実施例４における光伝送装置は、波長非依存性の波長多重部として光カプラをさらに備える。すなわち、図９に示すように、第一光伝送装置１０は、波長多重部Ｍ１１の代わりに、波長非依存性である光カプラＣＰ１をさらに備え、第二光伝送装置２０は、波長多重部Ｍ２２の代わりに、波長非依存性である光カプラＣＰ２をさらに備える。
【０１４４】
そして、実施例４における光伝送装置は、異なる波長からなる複数の調整用光信号を光伝送装置が備える波長変換部の波長可変レーザーダイオードで生成するように制御する。具体的には、図９に示すように、第一光伝送装置１０に接続される波長変換部Ｔ１２が備える波長可変レーザーダイオードＴＬＤ１２０および第二光伝送装置２０に接続される波長変換部Ｔ２４が備える波長可変レーザーダイオードＴＬＤ２４０で生成する。例えば、波長可変レーザーダイオードＴＬＤ１２０および波長可変レーザーダイオードＴＬＤ２４０は、Ｃバンド４０波にそれぞれ対応する波長（λ１〜λ４０）をすべて出力できるとする。
【０１４５】
そして、実施例４における光伝送装置は、波長変換部の波長可変レーザーダイオードで生成される複数の調整用光信号それぞれを、光カプラを介して次ノードの光伝送装置における受信側光増幅器に伝送するように制御し、伝送した調整用光信号に対応する前記ゲイン調整終了信号を受信した場合に、当該調整用光信号の伝送を停止するように制御する。
【０１４６】
具体的には、図９に示す第一光伝送装置１０は、自身の立ち上げ時に、波長可変レーザーダイオードＴＬＤ１２０から、まず「波長：λ１」である調整用光信号を生成するように指示を出すとともに、波長可変レーザーダイオードＴＬＤ１２０で生成する「波長：λ１」である調整用光信号を伝送路Ｆ１２経由で第二光伝送装置２０における受信側光増幅器ＡＲ２１に伝送するために光スイッチＳ１１の接続を固定する指示を出す。
【０１４７】
そして、第一光伝送装置１０における受信側光増幅器ＡＲ１２が、第二光伝送装置２０における受信側光増幅器ＡＲ２１から「波長：λ１」である調整用光信号に対応するゲイン調整終了信号を受信した場合、引き続き、「波長：λ２」である調整用光信号を生成するように指示を出す。
【０１４８】
この操作を「波長：λ４０」である調整用光信号に対応するゲイン調整終了信号を受信側光増幅器ＡＲ１２が受信するまで連続して行い、当該ゲイン調整終了信号を受信後は、波長可変レーザーダイオードＴＬＤ１２０に調整用光信号の生成を停止するように指示を出すとともに、通常の光信号の伝送を行なうために、光スイッチＳ１１に対して行なっていた指示を解除する。
【０１４９】
また、図９に示す第二光伝送装置２０は、自身の立ち上げ時に、波長可変レーザーダイオードＴＬＤ２４０から、まず「波長：λ１」である調整用光信号を生成するように指示を出すとともに、波長可変レーザーダイオードＴＬＤ２４０で生成する「波長：λ１」である調整用光信号を伝送路Ｆ２１経由で第一光伝送装置１０における受信側光増幅器ＡＲ１２に伝送するために光スイッチＳ２２の接続を固定する指示を出す。
【０１５０】
そして、第二光伝送装置２０における受信側光増幅器ＡＲ２１が、第一光伝送装置１０における受信側光増幅器ＡＲ１２から「波長：λ１」である調整用光信号に対応するゲイン調整終了信号を受信した場合、引き続き、「波長：λ２」である調整用光信号を生成するように指示を出す。
【０１５１】
この操作を「波長：λ４０」である調整用光信号に対応するゲイン調整終了信号を受信側光増幅器ＡＲ２１が受信するまで連続して行い、当該ゲイン調整終了信号を受信後は、波長可変レーザーダイオードＴＬＤ２４０に調整用光信号の生成を停止するように指示を出すとともに、通常の光信号の伝送を行なうために、光スイッチＳ２２に対して行なっていた指示を解除する。
【０１５２】
なお、上記した実施例では、Ｃバンド４０波にそれぞれ対応する波長（λ１〜λ４０）をすべて調整用光信号として生成し伝送する場合について説明したが、本発明はこれに限定されるものではなく、例えば、４波ごとの９波（λ１、λ５、λ９、・・・、λ３７）であってもよい。
【０１５３】
このようなことから、実施例４における光伝送装置は、光伝送装置に従来設置される送信側光増幅器を削除しても、次ノードの受信側光増幅器は、光伝送装置が備える波長変換部の波長可変レーザーダイオードから複数の調整用光信号を受信して伝送路ロスのゲイン調整をすることができ、中短距離の光信号の伝送を行う光伝送装置の設備投資にかかるコストをさらに低く抑えることが可能になる。また、波長可変レーザーダイオードからの波長の異なる複数の調整用光信号それぞれに対してゲイン調整をすることができ、波長ごとの光レベルも補正する信頼性の高いゲイン調整が可能になる。
【０１５４】
［実施例４における光伝送装置の構成］
次に、図１０を用いて、実施例４における光伝送装置を説明する。図１０は、実施例４における光伝送装置の構成を示すブロック図である。
【０１５５】
図１０に示すように、実施例４における第一光伝送装置１０は、実施例３における第一光伝送装置１０と同様の構成からなる調整用光信号伝送制御部１００を備えるが、スイッチ設定記憶部１０４ａが記憶する内容が異なり、さらに波長可変レーザーダイオードＴＬＤ１２０および光スイッチＳ１１に接続される点が異なる。以下、これを中心に説明する。
【０１５６】
スイッチ設定記憶部１０４ａは、「立ち上げ通知信号」が入力された場合における光スイッチＳ１１の切り替え設定と、「ゲイン調整終了信号」が入力された場合における光スイッチＳ１１の切り替え設定を記憶する。
【０１５７】
動作制御部１０５ａは、入出力制御Ｉ／Ｆ部１０３を介して「立ち上げ通知信号」が入力されると、出力波長記憶部１０４ｂを参照して、波長可変レーザーダイオードＴＬＤ１２０に「波長：λ１」である調整用光信号を生成するように指示を出すとともに、受信側光増幅器ＡＲ１２が生成する「波長：λ１」である調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定を光スイッチＳ１１に出力する。
【０１５８】
そして、動作制御部１０５ａは、受信側光増幅器ＡＲ１２が、第二光伝送装置２０における受信側光増幅器ＡＲ２１から「波長：λ１」である調整用光信号に対応するゲイン調整終了信号を受信した場合、引き続き、「波長：λ２」である調整用光信号を生成するように指示を出す。動作制御部１０５ａは、この操作を、「波長：λ４０」である調整用光信号を生成するまで繰り返す。
【０１５９】
そして、動作制御部１０５ａは、「波長：λ４０」である調整用光信号に対応するゲイン調整終了信号が入力されると、波長可変レーザーダイオードＴＬＤ１２０に調整用光信号の生成を停止するように指示を出すとともに、通常の光信号の伝送を行なうために、光スイッチＳ１１に対して行なっていた指示を解除する。
【０１６０】
なお、図には示さないが、第二光伝送装置２０は、図１０に示す第一光伝送装置１０と同様に構成され、自身の立ち上げ時において、波長可変レーザーダイオードＴＬＤ２４０および光スイッチＳ２２に対して、上記と同様の処理を行う。
【０１６１】
［実施例４における光伝送装置による処理の手順］
次に、図８を用いて、実施例４における第一光伝送装置１０による処理を説明する。図８は、実施例３における光伝送装置の処理を説明するための図である。
【０１６２】
まず、実施例４における第一光伝送装置１０は、立ち上げ通知信号が入力されると（ステップＳ８０１肯定）、調整用光信号伝送制御部１００における動作制御部１０５ａは、波長可変レーザーダイオードＴＬＤ１２０に「波長：λ１」である調整用光信号を第二光伝送装置２０における受信側光増幅器ＡＲ２１に伝送するように制御する（ステップＳ８０２）。
【０１６３】
具体的には、動作制御部１０５ａは、波長可変レーザーダイオードＴＬＤ１２０に「波長：λ１」である調整用光信号を生成するように指示を出すととともに、受信側光増幅器ＡＲ１２が生成する「波長：λ１」である調整用光信号を伝送路Ｆ１２経由で第二光伝送装置２０における受信側光増幅器ＡＲ２１に伝送するように、スイッチ設定記憶部１０４ａが記憶する「立ち上げ通知信号入力時」における切り替え設定を光スイッチＳ１１に出力する。
【０１６４】
そして、動作制御部１０５ａは、受信側光増幅器ＡＲ１２が受信した「波長：λ１」である調整用光信号に対応するゲイン調整終了信号が入力されると（ステップＳ８０３）、「波長：λ１」に対応する「１」が、出力波長記憶部１０４ｂに格納される調整用光信号の数「ｎ」と一致するか否かを判定する（ステップＳ８０４）。例えば、「ｎ＝４０」と一致するか否かを判定する。
【０１６５】
調整用光信号の数「ｎ」と一致しない場合には（ステップＳ８０４否定）、「１＋１＝２」とし（ステップＳ８０５）、引き続き、「波長：λ２」である調整用光信号を伝送する。
【０１６６】
調整用光信号の数「ｎ」と一致した場合には（ステップＳ８０４肯定）、調整用光信号の伝送を停止し、通常の光伝送モードに切り替えて（ステップＳ８０６）、処理を終了する。例えば、動作制御部１０５ａは、入出力制御Ｉ／Ｆ部１０３を介して「波長：λ４０」である調整用光信号に対応する「ゲイン調整終了信号」が入力されると、波長可変レーザーダイオードＴＬＤ１２０に調整用光信号の生成を停止するように指示を出すとともに、通常の光信号の伝送を行なうために、スイッチ設定記憶部１０４ａが記憶する「立ち上げ通知信号入力時」における切り替え設定を光スイッチＳ１１に出力する。
【０１６７】
なお、実施例４における第二光伝送装置２０における処理の手順は、上記した第一光伝送装置１０における処理の手順と同様であるので、説明を省略する。
【０１６８】
［実施例４の効果］
上記したように、実施例４によれば、光伝送装置に従来設置される送信側光増幅器を削除しても、次ノードの受信側光増幅器は、光伝送装置が備える波長変換部の波長可変レーザーダイオードから複数の調整用光信号を受信して伝送路ロスのゲイン調整をすることができ、中短距離の光信号の伝送を行う光伝送装置の設備投資にかかるコストをさらに低く抑えることが可能になる。
【０１６９】
また実施例４によれば、波長可変レーザーダイオードからの波長の異なる複数の調整用光信号それぞれに対してゲイン調整をすることができ、波長ごとの光レベルも補正する信頼性の高いゲイン調整が可能になる。
【実施例５】
【０１７０】
上述した実施例４では、波長非依存性の波長多重部として光カプラを設置する場合について説明したが、実施例５では、波長非依存性のＡＷＧを設置する場合について説明する。
【０１７１】
［実施例５における光伝送装置の概要および特徴］
まず最初に、図１１を用いて、実施例５における光伝送装置の主たる特徴を具体的に説明する。図１１は、実施例５における光伝送装置の概要および特徴を説明するための図である。
【０１７２】
実施例５における光伝送装置は、図１１に示すように、実施例１〜４と同様、第一光伝送装置１０と第二光伝送装置２０との間における送信側光増幅器が削除されている。なお、実施例１〜３と同様に、第一光伝送装置１０と第二光伝送装置２０とのノード間距離は中短距離であり、第一光伝送装置１０と前ノードの光伝送装置とのノード間距離および第二光伝送装置２０と次ノードの光伝送装置とのノード間距離は、長距離であるとする。
【０１７３】
実施例５における光伝送装置は、波長非依存性の波長多重部としてＣｏｌｏｒｌｅｓｓＡＷＧをさらに備える。すなわち、図１１に示すように、第一光伝送装置１０は、波長多重部Ｍ１１の代わりに、ＣｏｌｏｒｌｅｓｓＡＷＧ  ＣＡ１を備え、第二光伝送装置２０は、波長多重部Ｍ２２の代わりに、ＣｏｌｏｒｌｅｓｓＡＷＧ  ＣＡ２を備える。
【０１７４】
そして、実施例５における光伝送装置は、実施例４と同様に、波長変換部Ｔ１２が備える波長可変レーザーダイオードＴＬＤ１２０で生成される異なる波長からなる複数の調整用光信号を、ＣｏｌｏｒｌｅｓｓＡＷＧ  ＣＡ１を介して第二光伝送装置２０に伝送し、波長可変レーザーダイオードＴＬＤ２４０で生成される異なる波長からなる複数の調整用光信号を、ＣｏｌｏｒｌｅｓｓＡＷＧ  ＣＡ２を介して第一光伝送装置１０に伝送する。
【０１７５】
このようなことから、実施例５における光伝送装置は、光カプラを介して伝送するよりも調整用光信号の伝送路ロスを少なくすることができる。
【０１７６】
なお、実施例５における光伝送装置の構成および処理の手順は、実施例４における光伝送装置の構成および処理の手順と同様であるので、説明を省略する。
【実施例６】
【０１７７】
さて、これまで実施例１〜５における光伝送装置について説明したが、本発明は上述した実施例以外にも、種々の異なる形態にて実施されてもよいものである。そこで、以下では、実施例４における光伝送装置として、種々の異なる実施例を（１）および（２）に区分けして説明する。
【０１７８】
（１）システム構成等
また、上記の実施例において説明した各処理のうち、自動的におこなわれるものとして説明した処理の全部または一部を手動でおこなうこともでき（例えば、立ち上げ時に自動的に調整用光信号の伝送要求を生成するのではなく、ネットワーク管理者からキーボードやタッチパネルを介して調整用光信号の伝送要求を受け付けるなど）、あるいは、手動的におこなうものとして説明した処理の全部または一部を公知の方法で自動的におこなうこともできる。例えば、この他、上記文章中や図面中で示した処理手順、具体的名称、各種のデータやパラメータを含む情報（例えば、出力波長記憶部１０４ｂが記憶する内容など）については、特記する場合を除いて任意に変更することができる。
【０１７９】
また、図示した各装置の各構成要素は機能概念的なものであり、必ずしも物理的に図示の如く構成されていることを要しない。すなわち、各処理部および各記憶部の分散・統合の具体的形態（例えば、図７の形態など）は図示のものに限られず、例えば、スイッチ設定記憶部１０４ａと出力波長記憶部１０４ｂとを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１８０】
（２）自己位置推定プログラム
ところで上記の実施例１〜５では、ハードウェアロジックによって各種の処理を実現する場合を説明したが、本発明はこれに限定されるものではなく、あらかじめ用意されたプログラムをコンピュータで実行するようにしてもよい。そこで以下では、図１２を用いて、上記の実施例１に示した第一光伝送装置１０と同様の機能を有する光伝送プログラムを実行するコンピュータの一例を説明する。図１２は、実施例１における光伝送プログラムを実行するコンピュータを示す図である。
【０１８１】
図１２に示すように、情報処理装置としてのコンピュータ１２０は、キーボード１２１、ディスプレイ１２２、ＣＰＵ１２３、ＲＯＭ１２４、ＨＤＤ１２５およびＲＡＭ１２６をバス１２７などで接続して構成され、さらに第一光伝送装置１０に接続される。
【０１８２】
ＲＯＭ１２４には、上記の実施例１に示した調整用光信号伝送制御部１００と同様の機能を発揮する光伝送プログラム、つまり、図１２に示すように、動作制御プログラム１２４ａが予め記憶されている。なお、これらのプログラム１２４ａについては、図２に示した光伝送装置１０の各構成要素と同様、適宜分散してもよい。
【０１８３】
そして、ＣＰＵ１２３が、このプログラム１２４ａをＲＯＭ１２４から読みだして実行することで、図１２に示すように、プログラム１２４ａは、動作制御プロセス１２３ａとして機能するようになる。なお、動作制御プロセス１２３ａは、図２に示した、動作制御部１０５ａに対応する。
【０１８４】
また、ＨＤＤ１２５には、図１２に示すように、スイッチ設定記憶テーブル１２５ａが設けられる。このスイッチ設定記憶テーブル１２５ａは、図２に用いたスイッチ設定記憶部１０４ａに対応する。そしてＣＰＵ１２３は、スイッチ設定記憶テーブル１２６ａをスイッチ設定記憶テーブル１２５ａに対して登録し、このスイッチ設定記憶テーブル１２６ａを読み出してＲＡＭ１２６に格納し、ＲＡＭ１２６に格納されたスイッチ設定記憶テーブル１２６ａに基づいて光伝送処理を実行する。
【０１８５】
なお、上記したプログラム１２４ａについては、必ずしも最初からＲＯＭ１２４に記憶させておく必要はなく、例えばコンピュータ１２０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ１２０の内外に備えられるＨＤＤなどの「固定用物理媒体」、さらには、公衆回線、インターネット、ＬＡＮ、ＷＡＮなどを介してコンピュータ１２０に接続される「他のコンピュータ（またはサーバ）」などに各プログラムを記憶させておき、コンピュータ１２０がこれらから各プログラムを読み出して実行するようにしてもよい。
【０１８６】
（付記１）ネットワークのノードに設置されて光信号の伝送を行なう光伝送装置であって、
前記光信号を増幅することなく次ノードの光伝送装置に送信する送信手段と、
前記次ノードの光伝送装置における受信側光増幅器が前記光信号の伝送路ロスをゲイン調整するために用いられる調整用光信号を生成する調整用光信号生成手段と、
前記光伝送装置に立ち上げ時に、前記調整用光信号生成手段によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手段と、
を備えたことを特徴とする光伝送装置。
【０１８７】
（付記２）前記光伝送装置は、レーザーダイオードをさらに備え、
前記調整用光信号生成手段は、前記調整用光信号を前記レーザーダイオードで生成し、
前記調整用光信号伝送制御手段は、前記レーザーダイオードで生成される前記調整用光信号を前記次ノードの光伝送装置における受信側光増幅器に伝送することを特徴とする付記１に記載の光伝送装置。
【０１８８】
（付記３）前記調整用光信号生成手段は、前記調整用光信号を前記光伝送装置の受信側光増幅器で生成し、
前記調整用光信号伝送制御手段は、前記光伝送装置の受信側光増幅器で生成される前記調整用光信号を前記次ノードの光伝送装置における受信側光増幅器に伝送することを特徴とする付記１に記載の光伝送装置。
【０１８９】
（付記４）前記光伝送装置は、波長変換レーザーダイオードをさらに備え、
前記調整用光信号生成手段は、異なる波長からなる複数の調整用光信号を前記波長変換レーザーダイオードで生成し、
前記調整用光信号伝送制御手段は、前記波長変換レーザーダイオードで生成される複数の調整用光信号それぞれを前記次ノードの光伝送装置における受信側光増幅器に伝送し、伝送した調整用光信号に対応する前記ゲイン調整終了信号を受信した場合に、当該調整用光信号の伝送を停止することを特徴とする付記１に記載の光伝送装置。
【０１９０】
（付記５）前記光伝送装置は、波長非依存性の波長多重部をさらに備え、
前記調整用光信号生成手段は、異なる波長からなる複数の調整用光信号を前記光伝送装置が備える波長変換部の波長可変レーザーダイオードで生成し、
前記調整用光信号伝送制御手段は、前記光伝送装置が備える波長変換部の波長可変レーザーダイオードで生成される複数の調整用光信号それぞれを、前記波長非依存性の波長多重部を介して前記次ノードの光伝送装置における受信側光増幅器に伝送し、伝送した調整用光信号に対応する前記ゲイン調整終了信号を受信した場合に、当該調整用光信号の伝送を停止することを特徴とする付記１に記載の光伝送装置。
【０１９１】
（付記６）ネットワークのノードに設置されて光信号の伝送を行なう光伝送方法であって、
前記光信号を増幅することなく次ノードの光伝送装置に送信する送信工程と、
前記次ノードの光伝送装置における受信側光増幅器が前記光信号の伝送路ロスをゲイン調整するために用いられる調整用光信号を生成する調整用光信号生成工程と、
前記光伝送装置に立ち上げ時に、前記調整用光信号生成工程によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御工程と、
を含んだことを特徴とする光伝送方法。
【０１９２】
（付記７）ネットワークのノードに設置されて光信号の伝送を行なう光伝送装置としてのコンピュータに、光伝送方法を実行させる光伝送プログラムであって、
前記光信号を増幅することなく次ノードの光伝送装置に送信する送信手順と、
前記次ノードの光伝送装置における受信側光増幅器が前記光信号の伝送路ロスをゲイン調整するために用いられる調整用光信号を生成する調整用光信号生成手順と、
前記光伝送装置に立ち上げ時に、前記調整用光信号生成手順によって生成される前記調整用光信号を前記次ノードの光伝送装置における受信側光増幅器に伝送し、当該受信側光増幅器から当該調整用光信号を用いたゲイン調整が終了したことを通知するゲイン調整終了信号を受信した場合に、前記調整用光信号の伝送を停止するように制御する調整用光信号伝送制御手順と、
をコンピュータに実行させることを特徴とする光伝送プログラム。
【産業上の利用可能性】
【０１９３】
以上のように、本発明に係る光伝送装置、光伝送方法および光伝送プログラムは、ネットワークのノードに設置されて光信号の伝送を行なう場合に有用であり、特に、中短距離の光信号の伝送を行う光伝送装置の設備投資にかかるコストを低く抑えることに適する。
【図面の簡単な説明】
【０１９４】
【図１】実施例１における光伝送装置の概要および特徴を説明するための図である。
【図２】実施例１における光伝送装置の構成を示すブロック図である。
【図３】実施例１における光伝送装置の処理を説明するための図である。
【図４】実施例２における光伝送装置の概要および特徴を説明するための図である。
【図５】実施例２における光伝送装置の構成を示すブロック図である。
【図６】実施例３における光伝送装置の概要および特徴を説明するための図である。
【図７】実施例３における光伝送装置の構成を示すブロック図である。
【図８】実施例３における光伝送装置の処理を説明するための図である。
【図９】実施例４における光伝送装置の概要および特徴を説明するための図である。
【図１０】実施例４における光伝送装置の構成を示すブロック図である。
【図１１】実施例５における光伝送装置の概要および特徴を説明するための図である。
【図１２】実施例１の光伝送プログラムを実行するコンピュータを示す図である。
【図１３】従来の光伝送装置を説明するための図である。
【符号の説明】
【０１９５】
１０  第一光伝送装置
１００  調整用光信号伝送制御部
１０１  信号入力部
１０２  制御信号出力部
１０３  入出力制御Ｉ／Ｆ部
１０４  記憶部
１０４ａ  スイッチ設定記憶部
１０５  処理部
１０５ａ  動作制御部
２０  第二光伝送装置
Ｆ０１、Ｆ１０、Ｆ１２、Ｆ２１  伝送路
Ｃ１１、Ｃ１２、Ｃ１３、Ｃ１４、Ｃ２１、Ｃ２２、Ｃ２３、Ｃ２４  光カプラ
ＯＳ１１、ＯＳ１２、ＯＳ２１、ＯＳ２２  ＯＳＣユニット
ＡＲ１１、ＡＲ１２、ＡＲ２１、ＡＲ２２  受信側光増幅器
ＡＳ１２、ＡＳ２１  送信側光増幅器
Ｄ１１、Ｄ１２、Ｄ２１、Ｄ２２  波長多重分離部
Ｍ１１、Ｍ１２、Ｍ２１、Ｍ２２  波長多重部
Ｔ１１、Ｔ１２、Ｔ１３、Ｔ１４、Ｔ２１、Ｔ２２、Ｔ２３、Ｔ２４  波長変換部
Ｓ１１、Ｓ１２、Ｓ２１、Ｓ２２  光スイッチ
ＬＤ１１、ＬＤ２１  レーザーダイオード
ＳＷ１、ＳＷ２  スイッチ
【図１】
2008187534.tif 000003
【図２】
2008187534.tif 000004
【図３】
2008187534.tif 000005
【図４】
2008187534.tif 000006
【図５】
2008187534.tif 000007
【図６】
2008187534.tif 000008
【図７】
2008187534.tif 000009
【図８】
2008187534.tif 000010
【図９】
2008187534.tif 000011
【図１０】
2008187534.tif 000012
【図１１】
2008187534.tif 000013
【図１２】
2008187534.tif 000014
【図１３】
2008187534.tif 000015